(57)【要約】【課題】フィット性が良好で尿等の横漏れを確実に防止できる吸収性物品を提供する。【解決手段】吸収性物品４の両側に設ける立ち上がり帯材９の内側部分９ａを、断面Ｚ字状に折り曲げて、この断面Ｚ字状の底辺部９ｃを吸収性物品４のトップシート４ｂに接合し、上辺部９ｄに弾性体１１（ａ，ｂ）を取付けることにより、傾斜辺部９ｅとともに上辺部９ｄがフラットな面状で立ち上がるようになる。【選択図】図５
2009165880.tif 000002
【特許請求の範囲】
【請求項１】
使い捨ておむつ等に用いる吸収性物品であって、
上記吸収性物品は、バックシートとトップシートとの間に吸収体コアが収納されて成り、
この吸収性物品の両側に、内側縁部が吸収性物品の上面両側を覆う立ち上がり帯材が設けられ、
この立ち上がり帯材の内側部分は、断面Ｚ字状に折り曲げられて、この断面Ｚ字状の底辺部が吸収性物品のトップシートに接合され、上辺部に弾性体が取付けられて、傾斜辺部とともに上辺部がフラットな面状で立ち上がるようになっていることを特徴とする吸収性物品。
【請求項２】
上記弾性体は、弾性帯又は弾性糸である請求項１に記載の吸収性物品。
【請求項３】
上記立ち上がり帯材の外側部分は吸収性物品のバックシートに接合されている請求項１または２に記載の吸収性物品。
【請求項４】
上記立ち上がり帯材の内側部分の前部と後部の傾斜辺部と上辺部とが吸収性物品のトップシートに対して接合され、この前部と後部との間の接合されない中間部が吸収性物品の全長の４０％以上である請求項１〜３のいずれか一項に記載の吸収性物品。
【請求項５】
上記接合されない中間部は、吸収性物品の全長の中央部に対して、前部方向に５％以上片寄らせている請求項４に記載の吸収性物品。
【発明の詳細な説明】
【技術分野】
【０００１】
本発明は、フィット性が良好で尿等の横漏れを確実に防止できる使い捨ておむつ等に用いる吸収性物品に関する。
【背景技術】
【０００２】
従来、使い捨ておむつ等に用いる吸収性物品としては、バックシートとトップシートとの間に吸収体コアが収納されて成り、この吸収性物品の両側に、内側部分が吸収性物品の上面両側を覆う立ち上がり帯材が設けられたものがある。
【０００３】
この立ち上がり帯材は、使用時に内側部分が着用者の肌面に接触することにより、尿等の横漏れを防止するためのものである。
【発明の概要】
【発明が解決しようとする課題】
【０００４】
しかしながら、立ち上がり帯材の内側部分は、前後方向に線状で着用者の肌面に接触するだけであったから、フィット性に乏しくて尿等の横漏れを確実に防止できないという問題があった。
【０００５】
本発明は、上記従来の問題を解決するためになされたもので、フィット性が良好で尿等の横漏れを確実に防止できる使い捨ておむつ等に用いる吸収性物品を提供することを目的とするものである。
【課題を解決するための手段】
【０００６】
上記課題を解決するために、本発明は、使い捨ておむつ等に用いる吸収性物品であって、上記吸収性物品は、バックシートとトップシートとの間に吸収体コアが収納されて成り、この吸収性物品の両側に、内側部分が吸収性物品の上面両側を覆う立ち上がり帯材が設けられ、この立ち上がり帯材の内側部分は、断面Ｚ字状に折り曲げられて、この断面Ｚ字状の底辺部が吸収性物品のトップシートに接合され、上辺部に弾性体が取付けられて、傾斜辺部とともに上辺部がフラットな面状で立ち上がるようになっていることを特徴とする吸収性物品を提供するものである。
【０００７】
本発明によれば、吸収性物品の両側に設ける立ち上がり帯材の内側部分を、断面Ｚ字状に折り曲げて、この断面Ｚ字状の底辺部を吸収性物品のトップシートに接合し、上辺部に弾性体を取付けることにより、傾斜辺部とともに上辺部がフラットな面状で立ち上がるようになる。
【０００８】
上記弾性体は、弾性帯又は弾性糸のいずれでも採用することができる。
【０００９】
上記立ち上がり帯材の外側部分は吸収性物品のバックシートに接合されている構成とするのが好ましい。この構成であると、立ち上がり帯材は吸収性物品と一体化されたユニットタイプとすることができる。
【００１０】
上記立ち上がり帯材の内側部分の前部と後部の傾斜辺部と上辺部とが吸収性物品のトップシートに対して接合され、この前部と後部との間の接合されない中間部が吸収性物品の全長の４０％以上である構成とするのが好ましい。
【００１１】
上記接合されない中間部は、吸収性物品の全長の中央部に対して、前部方向に５％以上片寄らせている構成とするのが好ましい。
【発明の効果】
【００１２】
本発明は、吸収性物品の両側に設ける立ち上がり帯材の内側部分を、断面Ｚ字状に折り曲げて、この断面Ｚ字状の底辺部を吸収性物品のトップシートに接合し、上辺部に弾性体を取付けることにより、傾斜辺部とともに上辺部がフラットな面状で立ち上がるようになるから、立ち上がり帯材の内側部分の上辺部は、前後方向に面状で着用者の肌面に接触するので、フィット性が良好になって尿等の横漏れを確実に防止できるようになる。
【００１３】
また、立ち上がり帯材の外側部分を吸収性物品のバックシートに接合すると、立ち上がり帯材は吸収性物品と一体化されたユニットタイプとすることができる。
【００１４】
さらに、立ち上がり帯材の内側部分の前部と後部の傾斜辺部と上辺部とを吸収性物品のトップシートに対して接合し、この前部と後部との間の接合されない中間部を吸収性物品の全長の４０％以上である構成とすると、立ち上がり帯材の立ち上がり長さが充分に確保されるので、フィット性がより良好になる。
【００１５】
さらにまた、接合されない中間部は、吸収性物品の全長の中央部に対して、前部方向に５％以上片寄らせた構成とすると、立ち上がり帯材の前部方向のフィット性がより良好になる。
【図面の簡単な説明】
【００１６】
【図１】本発明にかかる吸収性物品を用いた使い捨ておむつの展開状態の正面図である。
【図２】本発明にかかる吸収性物品を用いた使い捨ておむつのパーツの分解斜視図である。
【図３】使い捨ておむつの着用状態の正面図である。
【図４】弾性糸を使用した時の図１のＢ−Ｂ線に相当する拡大断面図である。
【図５】（ａ）は、図１のＡ−Ａ線及びＣ−Ｃ線に相当する拡大断面図、（ｂ）は、図１のＢ−Ｂ線に相当する拡大断面図である。
【図６】吸収性物品を用いたパンツであり、（ａ）は斜視図、（ｂ）は（ａ）のＤ−Ｄ線断面図である。
【発明を実施するための形態】
【００１７】
以下、本発明の実施の形態を図面を参照して詳細に説明する。
【００１８】
図１及び図２に示すように、使い捨ておむつ１は、基本的には、前腹部２Ａと股部２Ｃと後背部２Ｂとを有するカバー部分２と、このカバー部分２の後背部２Ｂの両側に設けられた一対の腰回り止め帯部分３（Ａ，Ｂ）と、上記カバー部分２の肌面側の股部２Ｃから前腹部２Ａと後背部２Ｂとに跨るように設けられた吸収性物品４とで構成されている。
【００１９】
上記カバー部分２は、液体を通さないプラスチックフィルム等でなる外面側の不透液性（透液性の合成繊維製不織布等でも可）シート２ａと、肌触りの良い合成繊維製不織布等でなる肌面側の透液性シート２ｂとで構成されている。そして、外面側の不透液性シート２ａの股部２Ｃの両脚穴２Ｄの回りに複数本のレッグギャザー用弾性糸５を長さ方向に伸長状態で間欠接着した後に、外面側の不透液性シート２ａに肌面側の透液性シート２ｂを溶着又は接着により接合する。なお、肌面側の透液性シート２ｂは、後述するようなメカニカルファスナーのループ状の雌係止部となる表面形状を有している。
【００２０】
上記カバー部分２の肌面側の透液性シート２ｂの前腹部２Ａの内面の上部と後背部２Ｂの内面の上部には、複数本のウェストギャザー用弾性糸６を長さ方向に伸長状態で間欠接着した短冊状シート８をそれぞれ溶着又は接着により接合する。
【００２１】
上記レッグギャザー用弾性糸５及びウェストギャザー用弾性糸６は、帯状や糸状の天然ゴム又は合成ゴムであり、各弾性糸５，６の収縮力でウェスト用ギャザー、レッグ用ギャザーが自然に形成されるようになる。
【００２２】
上記一対の腰回り止め帯部分３（Ａ，Ｂ）は、メカニカルファスナーのループ状の雌係止部となる表面形状を有するような編布や合成繊維製不織布等でなる。
【００２３】
ここで、メカニカルファスナーとは、フック状の雄係止部とループ状の雌係止部とが対をなして、両者を強く圧迫すると雄係止部と雌係止部とが相互に外れにくいように係止されると共に、雄係止部と雌係止部とを手で強く引き剥がすと雄係止部と雌係止部との係止が外れるものをいい、面ファスナーとも呼ばれている。なお、メカニカルファスナーに代えて、剥離可能な接着剤であっても良い。
【００２４】
上記一対の腰回り止め帯部分３（Ａ，Ｂ）は、それぞれ三角形状に形成されて、それぞれの底辺部が上記カバー部分２の後背部２Ｂの裏面（つまり、外面側の不透液性シート２ａの裏面）の両側に溶着又は接着により接合されて、それぞれの頂部が両側方に突出するようにしている。
【００２５】
そして、一対の腰回り止め帯部分３（Ａ，Ｂ）の一方の腰回り止め帯部分３Ａの内面には、他方の腰回り止め帯部分３Ｂの外面（メカニカルファスナーのループ状の雌係止部）に着脱自在に係止されるメカニカルファスナーのフック状の第１雄係止部材７Ａが取付けられている。
【００２６】
上記吸収性物品４は、図５に詳細に示すように、不透液性のバックシート４ａと透液性のトップシート４ｂとの間に、パルプ繊維や高吸収性ポリマー等の混合物でなる吸収体コア４ｃを収納して扁平に成形したもので、この吸収性物品４は、前腹部側が狭く、後背部側が広くなるような楕円形状に形成されて、上記カバー部分２の肌面側の股部２Ｃから前腹部２Ａと後背部２Ｂとに跨るように設けられる。
【００２７】
上記吸収性物品４のトップシート４ｂの上面の両側には、尿等の横漏れ防止用の左右一対の立ち上がり帯材（カフ）９が設けられている。
【００２８】
この立ち上がり帯材９は、撥水性を有する合成樹脂繊維製不織布で成形され、外側部分９ｂが上記吸収性物品４の両側部分と同じ円弧形状に形成されて、真っ直ぐな内側部分９ａが吸収性物品４の上面両側を覆うと共に、外側部分９ｂがバックシート４ａの上面に接着されている。
【００２９】
上記立ち上がり帯材９の内側部分９ａは、断面Ｚ字状に折り曲げられて、その底辺部９ｃの内側全長が吸収性物品４のトップシート４ｂに接着剤１０ａで接着されている。
【００３０】
また、内側部分９ａの上辺部９ｄの端部９ｆは下向きに折り返されて、この折り返し部には、前後方向に延在する弾性帯１１ａが接着されている。この弾性帯１１ａは天然ゴム又は合成ゴムであり、弾性帯１１ａの収縮力で上辺部９ｄの端部９ｆにギャザーが自然に形成されるようになる。なお、図４に示すように、上記弾性帯１１ａに代えて、複数本の弾性糸１１ｂを接着しても良い。
【００３１】
そして、図１に示したように、上記立ち上がり帯材９の内側部分９ａの前部の一定領域Ｆと後部の一定領域Ｇとに位置する傾斜辺部９ｅの下面を底辺部９ｃの上面に接着剤１０ｂで接着すると共に、上辺部９ｄの下面を傾斜辺部９ｅの上面に接着剤１０ｃで接着する。即ち、上記各領域Ｆ，Ｇの傾斜辺部９ｅと上辺部９ｄとを吸収性物品４のトップシート４ｂに対して接合する。
【００３２】
上記各領域Ｆ，Ｇの間の接合されない中間領域Ｈは吸収性物品４の全長の４０％以上であるのが好ましく、また、この中間領域Ｈは、吸収性物品４の全長の中央部に対して、前部方向に５％以上片寄らせているのが好ましい。前者の構成であると、立ち上がり帯材の立ち上がり長さが充分に確保されるので、フィット性がより良好になり、後者の構成であると、立ち上がり帯材の前部方向のフィット性がより良好になる。
【００３３】
このように、立ち上がり帯材９の内側部分９ａを断面Ｚ字状に折り曲げて、その底辺部９ｃの全体を吸収性物品４のトップシート４ｂに接着し、上辺部９ｄと傾斜辺部９ｅの前部と後部の各領域Ｆ，Ｇをトップシート４ｂに対して接着すると共に、上辺部９ｄの端部９ｆに弾性帯１１ａ又は弾性糸１１ａを接着することにより、図５（ｂ）に示すように、使用時には、傾斜辺部９ｅとともに上辺部９ｄがフラットな面状で立ち上がるようになる。
【００３４】
一方、上記吸収性物品４の前腹部側の前端部と後背部側の後端部の各裏面には、上記カバー部分２の肌面側の透液性シート２ｂ（メカニカルファスナーのループ状の雌係止部）に着脱自在に係止されるメカニカルファスナーのフック状の第２雄係止部材７Ｂがそれぞれ取付けられている。なお、吸収性物品４の上記以外の場所、例えば股部側にも第２雄係止部材７Ｂを取付けることもできる。
【００３５】
上記カバー部分２の前腹部２Ａの肌面の両側には、上記一対の腰回り止め帯部分３（Ａ，Ｂ）の外面（メカニカルファスナーのループ状の雌係止部）に着脱自在に係止されるメカニカルファスナーのフック状の第３雄係止部材７Ｃが取付けられている。
【００３６】
上記のように構成した使い捨ておむつ１を着用する場合に、使い捨ておむつ１を展開した状態で、第２雄係止部材７Ｂにより、吸収性物品４の前腹部側と後背部側とをカバー部分２の前腹部側と後背部側とにそれぞれ係止して、カバー部分２の後背部２Ｂを着用者の背部に当てがい、他方の回り止め帯部分３Ｂを前に折り返して着用者の腹部に当てがいながら、一方の回り止め帯部分３Ａを前に折り返して他方の腰回り止め帯部分３Ｂの外面に第３雄係止部材７Ａで係止する。
【００３７】
ついで、カバー部材２の前腹部２Ａを前に折り返して着用者の股部を通すことにより、吸収性物品４を着用者の股部に当てがった後に、一対の腰回り止め帯部分３（Ａ，Ｂ）に第３雄係止部材７Ｃで係止する。これにより、図３に示したような状態で使い捨ておむつ１の着用が完了する。
【００３８】
上記使い捨ておむつ１では、吸収性物品４の両側に設ける立ち上がり帯材９の内側部分９ａを、断面Ｚ字状に折り曲げて、この断面Ｚ字状の底辺部９ｃを吸収性物品４のトップシート４ｂに接着し、上辺部９ｄに弾性帯１１ａ又は弾性糸１１ｂを取付けることにより、傾斜辺部９ｅとともに上辺部９ｄがフラットな面状で立ち上がるようになって、立ち上がり帯材９の内側部分９ａの上辺部９ｄが前後方向に面状で着用者の股部の肌面に接触するから、フィット性が良好になって尿等の横漏れを確実に防止できるようになる。
【００３９】
なお、上記使い捨ておむつ１は、吸収性物品４とカバー部分１とを分離させずに、従来と同様の一体型としても使用できることは言うまでもない。
【００４０】
上記実施形態は、使い捨ておむつ１に吸収性物品４を使用したものであったが、図６（ａ）（ｂ）に示すように、吸収性物品４をパンツ１５にナプキンのように直接貼り付けて使用することもできる。
【符号の説明】
【００４１】
１  使い捨ておむつ
２  カバー部分
４  吸収性物品
４ａ  バックシート
４ｂ  トップシート
４ｃ  吸収体コア
９  立ち上がり帯材
９ａ  内側部分
９ｂ  外側部分
９ｃ  底辺部
９ｄ  上辺部
９ｅ  傾斜辺部
１１ａ  弾性帯
１１ｂ  弾性糸
１２  パンツ
【図１】
2009165880.tif 000003
【図２】
2009165880.tif 000004
【図３】
2009165880.tif 000005
【図４】
2009165880.tif 000006
【図５】
2009165880.tif 000007
【図６】
2009165880.tif 000008